【手続補正書】
【提出日】平成18年6月5日(2006.6.5)
【手続補正１】
【補正対象書類名】明細書
【補正対象項目名】発明の名称
【補正方法】変更
【補正の内容】
【発明の名称】既知シンボルを使用して手書きシンボルを編集する装置、方法、コンピュータプログラム
【手続補正２】
【補正対象書類名】特許請求の範囲
【補正対象項目名】全文
【補正方法】変更
【補正の内容】
【特許請求の範囲】
【請求項１】
既知シンボル群に対するシンボル認識システムを制御する方法であって、
所望のシンボルの指示を検知し、
前記所望のシンボルに対応する可能性のある第１の既知シンボルを前記既知シンボル群から選択し、
前記第１の既知シンボルを表示し、
前記表示された第１の既知シンボルが前記所望のシンボルに対応しないことを示す指示を受信し、
前記所望のシンボルに対応する可能性のある第２の既知シンボルを前記既知シンボル群から選択し、
前記第２の既知シンボルを表示する
ことを特徴とする方法。
【請求項２】
入力済アルファベットの少なくとも一部を表現する所定の文字群を、前記既知シンボル群として提供する
ことを特徴とする請求項１に記載の方法。
【請求項３】
前記第１の既知シンボルを前記既知シンボル群から選択することは、
前記所望のシンボルに最も近い第１の既知シンボルを前記既知シンボル群から選択する
ことを特徴とする請求項１に記載の方法。
【請求項４】
前記第２の既知シンボルを前記既知シンボル群から選択することは、
前記所望のシンボルに次に近い第２の既知シンボルを前記既知シンボル群から選択する
ことを特徴とする請求項３に記載の方法。
【請求項５】
前記第１の既知シンボルを前記既知シンボル群から選択することは、
前記所望のシンボルと前記既知シンボル群のそれぞれの既知シンボルとの比較による近さを示すスコアを生成する
ことを特徴とする請求項１に記載の方法。
【請求項６】
更に、前記所望のシンボルと前記既知シンボル群のそれぞれの既知シンボルとの比較による複数のスコアを記憶する
ことを特徴とする請求項５に記載の方法。
【請求項７】
前記第２の既知シンボルを前記既知シンボル群から選択することは、
前記比較による前記記憶されたスコアに基づいて、第２の既知シンボルを前記既知シンボル群から選択する
ことを特徴とする請求項６に記載の方法。
【請求項８】
更に、前記所望のシンボルと前記既知シンボル群のそれぞれの既知シンボルとの比較によるスコアの内、所定閾値を越えるスコアを記憶する
ことを特徴とする請求項５に記載の方法。
【請求項９】
前記第２の既知シンボルを前記既知シンボル群から選択することは、
前記比較による前記記憶されたスコアに基づいて、第２の既知シンボルを前記既知シンボル群から選択する
ことを特徴とする請求項８に記載の方法。
【請求項１０】
前記第２の既知シンボルを前記既知シンボル群から選択することは、
前記所望のシンボルと前記既知シンボル群のそれぞれの既知シンボルとの比較による近さを示すスコアを生成する
ことを特徴とする請求項１に記載の方法。
【請求項１１】
前記第２の既知シンボルの表示は、前記表示された第２の既知シンボルが前記所望のシンボルに対応しないことを示すユーザからの指示を受信することによって発生する
ことを特徴とする請求項１に記載の方法。
【請求項１２】
更に、
前記所望のシンボルに対応する第３の既知シンボルを前記既知シンボル群から選択し、
前記第３の既知シンボルを前記ユーザに対して表示する
ことを特徴とする請求項１１に記載の方法。
【請求項１３】
更に、
前記表示された第２の既知シンボルが前記所望のシンボルに対応することを示すユーザからの指示を受信し、
前記表示された第１の既知シンボルを前記第２の既知シンボルに置換する
ことを特徴とする請求項１に記載の方法。
【請求項１４】
前記第２の既知シンボルの選択は、更に、前記所望のシンボルに対応する複数の既知シンボルを選択し、
前記第２の既知シンボルの表示は、更に、前記選択された複数の既知シンボルを前記ユーザに対して表示する
ことを特徴とする請求項１に記載の方法。
【請求項１５】
更に、
前記表示された複数の既知シンボルの１つのユーザによる選択指示を受信し、
前記複数の既知シンボルの選択がされていないもの以外の前記表示された複数の既知シンボルから選択された既知シンボルを表示する
ことを特徴とする請求項１４に記載の方法。
【請求項１６】
更に、
前記表示された第１の既知シンボルが前記所望のシンボルに対応しないことを示すユーザからの指示の受信を受けて、該表示された第１の既知シンボルを変更する
ことを特徴とする請求項１に記載の方法。
【請求項１７】
シンボル認識装置であって、
所定の既知シンボル群を記憶するように構成されているメモリと、
所望のシンボルの指示を検知するシンボル検知回路と、
前記所望のシンボルと前記既知シンボルとを比較し、前記所望のシンボルに対応する第１の既知シンボルを前記既知シンボル群から出力し、コマンドの受信を受けて、前記所望のシンボルに対応する第２の既知シンボルを前記既知シンボル群から出力するように動作するシンボル選択回路と、
前記シンボル選択回路によって出力される前記既知シンボルを表示する表示回路と
を備えることを特徴とするシンボル認識装置。
【請求項１８】
前記シンボル選択回路は、前記所望のシンボルに最も近い第１の既知シンボルを前記既知シンボル群から選択するように動作する
ことを特徴とする請求項１７に記載のシンボル認識装置。
【請求項１９】
前記シンボル選択回路は、前記所望のシンボルに次に最も近い第２の既知シンボルを前記既知シンボル群から選択するように動作する
ことを特徴とする請求項１８に記載のシンボル認識装置。
【請求項２０】
前記シンボル選択回路は、前記所望のシンボルと前記既知シンボル群との比較による近さを示すスコアをとるように動作する
ことを特徴とする請求項１７に記載のシンボル認識装置。
【請求項２１】
前記シンボル選択回路は、前記所望のシンボルと前記既知シンボル群との比較から、少なくとも複数のスコアを前記メモリに記憶するように動作する
ことを特徴とする請求項２０に記載のシンボル認識装置。
【請求項２２】
前記シンボル選択回路は、ユーザからの編集コマンドの受信を受けて、前記メモリに記憶されているスコアに基づいて前記第２の既知シンボルを選択して出力するように動作する
ことを特徴とする請求項２１に記載のシンボル認識装置。
【請求項２３】
前記シンボル選択回路は、ユーザからの編集コマンドの受信を受けて、前記所望のシンボルと前記既知シンボルを比較して、前記第２の既知シンボルを出力するように動作する
ことを特徴とする請求項１７に記載のシンボル認識装置。
【請求項２４】
前記シンボル選択回路は、前記表示回路が前記第２の既知シンボルを表示している間に、ユーザからの編集コマンドの受信を受けて、前記所望のシンボルに対応する第３の既知シンボルを前記既知シンボル群から出力するように動作する
ことを特徴とする請求項１７に記載のシンボル認識装置。
【請求項２５】
前記シンボル選択回路は、ユーザからの編集コマンドの受信を受けて、前記所望のシンボルに対応する複数の既知シンボルを前記既知シンボル群から選択して出力するように動作し、
前記表示回路は、前記シンボル選択回路によって出力される前記複数の既知シンボルを表示するように動作する
ことを特徴とする請求項１７に記載のシンボル認識装置。
【請求項２６】
前記シンボル選択回路は、前記表示された複数の既知シンボルの１つを選択するユーザからのコマンドの受信を受けて、該表示された複数の既知シンボルの内、選択された１つの既知シンボルだけを表示するように動作する
ことを特徴とする請求項２５に記載のシンボル認識装置。
【請求項２７】
前記シンボル選択回路は、ユーザからの編集コマンドの受信を受けて、前記表示された第１の既知シンボルを変更するように動作する
ことを特徴とする請求項１７に記載のシンボル認識装置。
【請求項２８】
既知シンボル群に対するシンボル認識装置を制御するコンピュータプログラムであって、該コンピュータプログラムは、コンピュータ可読媒体に記憶され、かつコンピュータに実行させるためのプログラムで、該コンピュータプログラムは、
所望のシンボルの指示を検知し、
前記所望のシンボルに対応する可能性のある第１の既知シンボルを前記既知シンボル群から選択し、
前記第１の既知シンボルを表示し、
前記表示された第１の既知シンボルが前記所望のシンボルに対応しないことを示す指示を受信し、
前記所望のシンボルに対応する可能性のある第２の既知シンボルを前記既知シンボル群から選択し、
前記第２の既知シンボルを表示する
ことをコンピュータに実行させることを特徴とするコンピュータプログラム。
【請求項２９】
前記第１の既知シンボルを前記既知シンボル群から選択することは、
前記所望のシンボルに最も近い第１の既知シンボルを前記既知シンボル群から選択することを含む
ことを特徴とする請求項２８に記載のコンピュータプログラム。
【請求項３０】
前記第２の既知シンボルを前記既知シンボル群から選択することは、
前記所望のシンボルに最も近い第２の既知シンボルを前記既知シンボル群から選択することを含む
ことを特徴とする請求項２９に記載のコンピュータプログラム。
【請求項３１】
更に、前記表示された第２の既知シンボルが前記所望のシンボルに対応しないことを示すユーザからの指示を受信することをコンピュータに実行させる
ことを特徴とする請求項２８に記載のコンピュータプログラム。
【請求項３２】
更に、
前記所望のシンボルに対応する第３の既知シンボルを前記既知シンボル群から選択し、
前記ユーザに対し、前記第３の既知シンボルを表示する
ことをコンピュータに実行させる
ことを特徴とする請求項３１に記載のコンピュータプログラム。
【請求項３３】
更に、
前記表示された第２の既知シンボルが前記所望のシンボルに対応することを示すユーザからの指示を受信し、
前記表示された第１の既知シンボルを前記第２の既知シンボルに置換する
ことをコンピュータに実行させる
ことを特徴とする請求項２８に記載のコンピュータプログラム。
【請求項３４】
更に、
前記所望のシンボルに対応する複数の既知シンボルを前記既知シンボル群から選択し、
前記ユーザに対し、前記選択された複数の既知シンボルを表示する
ことをコンピュータに実行させる
ことを特徴とする請求項２８に記載のコンピュータプログラム。
【請求項３５】
更に、
前記表示された複数の既知シンボルの１つの前記ユーザからの選択指示を受信し、
前記複数の既知シンボルの選択がされていないもの以外の前記表示された複数の既知シンボルから選択された既知シンボルを表示する
ことをコンピュータに実行させる
ことを特徴とする請求項２８に記載のコンピュータプログラム。